(57)【特許請求の範囲】
【請求項１】
ベール古紙に巻き付けられた梱包用の番線を、番線切断装置で切断した後に、鋸歯状の固定引出歯と移動引出歯とからなる番線引出金具でベール古紙から引出して、巻取除去するベール古紙の番線巻取除去装置において、前記移動引出歯は、該移動引出歯の基部を前記固定引出歯の基部に摺接させて上下に移動可能に配設し、前記固定引出歯は、該固定引出歯の基部の一側部に鋸歯状に形成された複数の三角形の歯を有し、隣接する歯の間に古紙及び番線当接面と番線引込み凹部とを有し、前記古紙及び番線当接面は、前記歯の下部の前記一側部に形成され、前記番線引込み凹部は、前記古紙及び番線当接面の下部の前記一側部に入口部を開口して、奥に番線収納部を有する下向き傾斜で前記固定引出歯の基部に形成され、前記移動引出歯は、該移動引出歯の一側部に、前記固定引出歯の歯と同ピッチの鋸歯状に形成された複数の歯を有し、該移動引出歯の隣接する歯の間に番線誘導凹部と古紙及び番線当接面とを有し、前記番線誘導凹部は、前記移動引出歯の歯の下部の前記一側部に入口部を開口して、上向き傾斜で前記移動引出歯の基部に形成され、前記移動引出歯の歯は、前記固定引出歯側先端に薄肉部を形成して、前記固定引出歯の歯と前記移動引出歯の歯とが重なった際に、両歯の先端部同士の間に刃先保護間隔を形成し、前記固定引出歯の歯の上部にベール古紙切断刃先を有するとともに、前記移動引出歯の歯の下部に前記ベール古紙切断刃先とは別のベール古紙切断刃先を有し、前記固定引出歯のベール古紙切断刃先は前記移動引出歯の歯側に、前記移動引出歯のベール古紙切断刃先は前記固定引出歯の歯側にそれぞれ形成され、前記移動引出歯の不作動時には、該移動引出歯の歯と前記固定引出歯の歯が重なって、前記移動引出歯の歯上部の稜線が前記固定引出歯の前記番線引込み凹部の入口部を塞いだ状態に設定されるとともに、前記移動引出歯は、作動状態では、前記移動引出歯の歯が前記固定引出歯の歯の１つ半分の距離を上下に移動できるように設定され、前記移動引出歯の不作動時に重なっている前記固定引出歯の歯と前記移動引出歯の歯とを、前記番線引出金具を進退させる駆動手段の押付力にて前記ベール古紙に食い込ませることにより、該ベール古紙に巻き付けられた前記番線を、前記固定引出歯の歯の上下いずれかへ振り分けて前記番線を切断した後に、前記移動引出歯を下方へ移動させて、該移動引出歯の歯に前記切断した番線を係合して該番線を押し下げて前記固定引出歯の番線引込み凹部の入口部へ移動させ、さらなる前記移動引出歯の下方への移動に伴い、前記押し下げられた番線を、前記番線誘導凹部で案内して前記番線引込み凹部へ引込み、前記移動引出歯の歯を前記固定引出歯の歯の１つ半分の距離下方へ移動させて、前記引込まれた番線を前記番線収納部に収納して保持し、前記駆動手段にて前記番線引出金具を番線巻取軸の後方へ後退して前記保持された番線を引き出すことを特徴とするベール古紙の番線巻取除去装置。
【発明の詳細な説明】
【０００１】
【発明の属する技術分野】
本発明は、ベーラーマシンで略直方体に圧縮成形されて番線を巻き付けて梱包されたベール古紙を解梱装置にて解梱する際に、番線切断装置で切断した番線を除去するベール古紙の番線巻取除去装置に関する。
【０００２】
【従来の技術】
ベール古紙の解梱装置として、例えば特公平７−１１０６６２号公報に示されるものがある。この解梱装置は、ベール古紙を搬送するコンベヤーの両側に、番線切断装置と番線巻取除去装置とを対向配置して、番線切断装置の番線引出切断金具でベール古紙に巻き付けられた番線を切断した後、番線巻取除去装置の番線引出金具を駆動手段によりベール古紙に押し付けて、番線引出金具の固定引出歯と移動引出歯の鋸歯状の摘み歯で切断された番線を挟持して前記駆動手段により両引出歯をベール古紙から後退させて番線を引出し、番線巻取軸に番線を巻き付けて除去している。
【０００３】
【発明が解決しようとする課題】
ところが、上述の番線引出金具の構成では、固定引出歯と移動引出歯の摘み歯の先端同士を突き合わせて三角形の突起形状にした状態で、両摘み歯をベール古紙に押し付け、突起の上下辺に番線を振り分け、固定引出歯の摘み歯とこの摘み歯に隣接する移動引出歯の摘み歯との間に形成される三角形の凹部に番線を位置させ、移動引出歯を摘み歯１つ分移動させて、固定引出歯と移動引出歯の両摘み歯の間に番線を引出して挟持している。この場合、固定引出歯及び移動引出歯の先端に、刃先を保護するための所定の間隔が形成されているため、ベール古紙に巻かれた番線が水平状態あるいはやや傾斜した状態では良好に引出すことができるが、番線がベール古紙に水平状態より大きく傾斜して巻き付けられている場合には、前記刃先保護間隔に番線が入り込み、前記三角形の凹部に番線が入り込まず、番線を固定引出歯と移動引出歯の両摘み歯の間に引出して挟持できない場合がある。また、両摘み歯間の前記三角形の凹部に古紙を摘んでしまうので、両摘み歯で番線のみを摘むことができなかった。
【０００４】
そこで本発明は、ベール古紙に巻かれた番線の傾斜が大きい場合でも、確実に番線を固定引出歯の歯と移動引出歯の歯の間に引出して挟持でき、かつ番線のみを引出すことができるベール古紙の番線巻取除去装置を提供することを目的としている。
【０００５】
【課題を解決するための手段】
上記した目的を達成するため、本発明は、図面の符号を括弧して併記すると、ベール古紙（１）に巻き付けられた梱包用の番線（Ｗ）を、番線切断装置（３）で切断した後に、鋸歯状の固定引出歯（２０）と移動引出歯（２１）とからなる番線引出金具（１５）でベール古紙（１）から引出して、巻取除去するベール古紙の番線巻取除去装置（４）において、前記移動引出歯（２１）は、その基部（２１ａ）を前記固定引出歯（２０）の基部（２０ａ）に摺接させて上下に移動可能に配設し、前記固定引出歯（２０）は、その基部（２０ａ）の一側部に鋸歯状に形成された複数の三角形の歯（２０ｃ）を有し、隣接する歯（２０ｃ）の間に古紙及び番線当接面（２０ｄ）と番線引込み凹部（２０ｅ）とを有し、前記古紙及び番線当接面（２０ｄ）は、前記歯（２０ｃ）の下部の前記一側部に形成され、前記番線引込み凹部（２０ｅ）は、前記古紙及び番線当接面（２０ｄ）の下部の前記一側部に入口部を開口して、奥に番線収納部（２０ｆ）を有する下向き傾斜で前記基部（２０ａ）に形成され、前記移動引出歯（２１）は、その一側部に、前記固定引出歯（２０）の歯（２０ｃ）と同ピッチの鋸歯状に形成された複数の歯（２１ｃ）を有し、該移動引出歯（２１）の隣接する歯（２１ｃ）の間に番線誘導凹部（２１ｄ）と古紙及び番線当接面（２１ｅ）とを有し、前記番線誘導凹部（２１ｄ）は、前記歯（２１ｃ）の下部の前記一側部に入口部を開口して、上向き傾斜で前記基部（２１ａ）に形成され、前記移動引出歯（２１）の歯（２１ｃ）は、前記固定引出歯側先端に薄肉部（２１ｆ）を形成して、前記固定引出歯（２０）の歯（２０ｃ）と前記移動引出歯（２１）の歯（２１ｃ）とが重なった際に、両歯（２０ｃ、２１ｃ）の先端部同士の間に刃先保護間隔（Ｃ）を形成し、前記固定引出歯（２０）の歯（２０ｃ）の上部にベール古紙切断刃先（２０ｇ）を有するとともに、前記移動引出歯（２１）の歯（２１ｃ）の下部にベール古紙切断刃先（２１ｇ）を有し、前記ベール古紙切断刃先（２０ｇ）は前記移動引出歯（２１）の歯側に、前記ベール古紙切断刃先（２１ｇ）は前記固定引出歯（２０）の歯側にそれぞれ形成され、前記移動引出歯（２１）の不作動時には、該移動引出歯（２１）の歯（２１ｃ）と前記固定引出歯（２０）の歯（２０ｃ）が重なって、前記移動引出歯（２１）の歯（２１ｃ）の上部の稜線が前記番線引込み凹部（２０ｅ）の入口部を塞いだ状態に設定されるとともに、前記移動引出歯（２１）は、作動状態では、前記移動引出歯（２１）の歯（２１ｃ）が前記固定引出歯（２０）の歯（２０ｃ）の１つ半分の距離を上下に移動できるように設定され、前記移動引出歯（２１）の不作動時に重なっている前記固定引出歯（２０）の歯（２０ｃ）と前記移動引出歯（２１）の歯（２１ｃ）とを、前記番線引出金具（１５）を進退させる駆動手段（１６）の押付力にて前記ベール古紙（１）に食い込ませることにより、該ベール古紙に巻き付けられた前記番線（Ｗ）を、前記固定引出歯（２０）の歯（２０ｃ）の上下いずれかへ振り分けて前記番線（Ｗ）を切断した後に、前記移動引出歯（２１）を下方へ移動させて、該移動引出歯（２１）の歯（２１ｃ）に前記切断した番線を係合して該番線を押し下げて前記番線引込み凹部（２０ｅ）の入口部へ移動させ、さらなる前記移動引出歯（２１）の下方への移動に伴い、前記押し下げられた番線を、前記番線誘導凹部（２１ｄ）で案内して前記番線引込み凹部（２０ｅ）へ引込み、前記移動引出歯（２１）の歯（２１ｃ）を前記固定引出歯（２０）の歯（２０ｃ）の１つ半分の距離下方へ移動させて、前記引込まれた番線を前記番線収納部（２０ｆ）に収納して保持し、前記駆動手段（１６）にて前記番線引出金具（１５）を番線巻取軸（１９）の後方へ後退して前記保持された番線を引き出すことを特徴としている。
【０００６】
【発明の実施の形態】
以下、本発明を、図面に示す実施形態例に基づいて、さらに詳細に説明する。図１はベール古紙の解梱装置の概略を示す正面図であって、この解梱装置は、ベール古紙１を搬送するスラットコンベヤー２の両側に、番線切断装置３と番線巻取除去装置４とをベール古紙１を挟むように対向させて配設したものである。スラットコンベヤー２には、ベール古紙１の搬送方向中心部が番線切断装置３と番線巻取除去装置４との間にきたときに、スラットコンベヤー２を停止させる光電管（図示せず）が設けられている。
【０００７】
前記番線切断装置３は、フレーム５に、ベール古紙１の側面方向に移動可能に設けた番線引出切断金具６と、該番線引出切断金具６を進退させる駆動手段である油圧シリンダ７とを設けるとともに、番線引出切断金具６の上部に該番線引出切断金具６を作動させる切断刃駆動手段である油圧シリンダ８を設けている。
【０００８】
前記番線引出切断金具６は、図２乃至図４に示すように、鋸歯状の刃先を有する固定切断刃９及び移動切断刃１０と、固定切断刃９との間に移動切断刃１０を挟むように配設された押え板１１とにより構成されている。これら固定切断刃９及び移動切断刃１０は、その基部９ａ，１０ａが、互いに摺接するように配置されていて、移動切断刃１０の基部１０ａに形成される上下方向の長孔１０ｂに固定切断刃９の基部９ａと押え板１１とを連結する連結ボルト１２がカラー１３を外嵌して挿通し、油圧シリンダ８のロッド８ａの伸縮にて移動切断刃１０を上下に移動可能に配設している。また、前記油圧シリンダ７のロッド７ａが固定切断刃９の基部９ａに連結されている。
【０００９】
前記固定切断刃９の刃先９ｃは上向き傾斜に、前記移動切断刃１０の刃先１０ｃは下向き傾斜にそれぞれ形成されている。また、両切断刃９，１０の刃先９ｃ，１０ｃの先端部同士の間に所定の間隔Ｃを形成するために、移動切断刃１０の刃先１０ｃの先端一側を薄肉に形成している。この間隔Ｃを設けることにより、番線Ｗの切断時に隣接する刃先９ｃ，１０ｃで古紙を挟んで摘み出して切断することを防止でき、刃先９ｃ，１０ｃの保護が図れる。
【００１０】
移動切断刃１０の刃先１０ｃは、移動切断刃１０の不作動状態では、固定切断刃９の各刃先９ｃの中間に位置し、作動状態では、移動切断刃１０の刃先１０ｃが固定切断刃９の刃先９ｃの少なくとも２つ分の距離を上下に移動できるように、例えば、長孔１０ｂの長さや油圧シリンダ８のストロークを設定している。
【００１１】
前記番線巻取除去装置４は、フレーム１４に、ベール古紙１の側面方向に移動可能に設けた番線引出金具１５と、該番線引出金具１５を進退させる駆動手段である油圧シリンダ１６とを設けるとともに、番線引出金具１５の上部に、該金具１５を作動させる引出歯駆動手段である油圧シリンダ１７を設け、さらに、駆動手段であるモーター１８により回転する番線巻取軸１９を設けている。
【００１２】
前記番線引出金具１５は、図１５に示されるように、油圧シリンダ１６により番線巻取軸１９に形成された隙間１９ａ内を進退してベール古紙１に巻かれた番線Ｗを保持して引出すものである。
【００１３】
前記番線引出金具１５は、図５乃至図１４に示すように、鋸歯状の歯を有する固定引出歯２０と移動引出歯２１と、固定引出歯２０との間に移動引出歯２１を挟むように配設された押え板２２とにより構成されている。
【００１４】
これら固定引出歯２０及び移動引出歯２１は、その基部２０ａ，２１ａが、互いに摺接するように配置されていて、移動引出歯２１の基部２１ａに形成される上下方向の長孔２１ｂに固定引出歯２０の基部２０ａと押え板２２とを連結する連結ボルト２３がカラー２４を外嵌して挿通し、移動引出歯２１に油圧シリンダ１７のロッド１７ａを連結して、該ロッド１７ａの伸縮にて移動引出歯２１を上下に移動可能に配設している。また、前記油圧シリンダ１６のロッド１６ａが前記固定引出歯２０の基部２０ａに連結されている。
【００１５】
前記固定引出歯２０は、一側部に鋸歯状に形成された複数の三角形の歯２０ｃを有し、隣接する歯２０ｃ，２０ｃ間に古紙及び番線当接面２０ｄと番線引込み凹部２０ｅとを形成している。すなわち、古紙及び番線当接面２０ｄは歯２０ｃの下部に、番線引込み凹部２０ｅは古紙及び番線当接面２０ｄの下部にそれぞれ形成されている。該番線引込み凹部２０ｅは、奥に番線収納部２０ｆを有する下向き傾斜に基部２０ａに形成されている。また、前記歯２０ｃの番線引込み凹部側にベール古紙切断刃先２０ｇを形成している。該ベール古紙切断刃先２０ｇは、図８に示されるように、移動引出歯２１側の角部に古紙及び番線当接面２０ｄの延長線の位置から先端に亘って形成されている。
【００１６】
前記移動引出歯２１は、一側部に前記歯２０ｃと同ピッチの鋸歯状に形成された複数の歯２１ｃを有し、隣接する歯２１ｃ，２１ｃ間に番線誘導凹部２１ｄと古紙及び番線当接面２１ｅとを形成している。すなわち、番線誘導凹部２１ｄは歯２１ｃの下部に、古紙及び番線当接面２１ｅは番線誘導凹部２１ｄの下部にそれぞれ形成されている。該番線誘導凹部２１ｄは、歯２１ｃの番線誘導凹部側の稜線の約半分の位置から上向き傾斜に基部２１ａに形成されている。また、前記歯２１ｃは、固定引出歯２０側先端に薄肉部２１ｆを形成している。さらに、前記歯２１ｃの番線誘導凹部側にベール古紙切断刃先２１ｇを形成している。該ベール古紙切断刃先２１ｇは、図９に示されるように、固定引出歯２０側の角部に番線誘導凹部２１ｄの延長線の位置から薄肉部２１ｆに亘って形成されている。前記薄肉部２１ｆは、歯２０ｃ，２１ｃの先端部同士の間に所定の間隔Ｃを形成して、ベール古紙切断時における歯２０ｃ，２１ｃのベール古紙切断刃先２０ｇ，２１ｇの保護を図っている。また、歯２０ｃ，２１ｃのベール古紙切断刃先２０ｇ，２１ｇの角度は、番線Ｗ引出し時に、硬い番線Ｗを切断せずに、前記古紙及び番線当接面２０ｄから歯２０ｃ，２１ｃの先端間の柔らかいベール古紙１を切断する角度に形成されている。
【００１７】
前記固定引出歯２０及び移動引出歯２１を互いに摺接可能に配設すると、図５に示されるように、移動引出歯２１の不作動時には、歯２０ｃと歯２１ｃが重なるとともに、歯２１ｃの古紙及び番線当接面側の稜線が番線引込み凹部２０ｅの入口部を塞いでいる。また、移動引出歯２１は、作動状態では、歯２１ｃが固定引出歯２０の歯２０ｃの少なくとも１つ半分の距離を上下に移動できるように、例えば、長孔２１ｂの長さや油圧シリンダ１７のストロークを設定している。
【００１８】
このように構成された解梱装置は、スラットコンベヤー２上のベール古紙１が所定位置、すなわち番線切断装置３と番線巻取除去装置４との間に達すると、光電管の作用でスラットコンベヤー２が停止する。次いで、番線引出金具１５を油圧シリンダ１６により番線巻取軸１９に形成された隙間１９ａ内を通過させて、スラットコンベヤー２上に先端の歯を突出させてから、番線切断装置３の油圧シリンダ７にて番線引出切断金具６をベール古紙１の一側面に押付け、圧力センサー（図示せず）が所定の押付力を検出したときに停止する。
【００１９】
ベール古紙１の一側面に押付けられた固定切断刃９の刃先９ｃと移動切断刃１０の刃先１０ｃは、図２に示される如く、移動切断刃１０の不作動状態では、固定切断刃９の各刃先９ｃの中間に位置しているから、番線Ｗを刃先９ｃ，１０ｃ間に振り分け、油圧シリンダ８による移動切断刃１０の下降にて、下向き傾斜の刃先１０ｃが番線Ｗに係合して、番線Ｗをベール古紙１の一側面から引出しながら刃先９ｃ，１０ｃで切断する。このとき、移動切断刃１０の刃先１０ｃが固定切断刃９の刃先９ｃの少なくとも２つ分の距離を移動するから、ベール古紙１に巻かれた番線Ｗの傾斜が大きい場合でも、確実に番線Ｗを切断できる。
【００２０】
番線巻取除去装置４側では、前記番線巻取除去装置４の油圧シリンダ１６の押付力により、番線引出金具１５は、重なった固定引出歯２０及び移動引出歯２１の歯２０ｃ，２１ｃの古紙及び番線当接面２０ｄから先端をベール古紙１に食い込ませ、三角形の歯２０ｃによって、番線Ｗを歯２０ｃの上下いずれかへ振り分けて、例えば、下へ振り分けられた場合は、図１０に示す如く、番線Ｗは固定引出歯２０の古紙及び番線当接面２０ｄに当接する。
【００２１】
以下に、番線Ｗが歯２０ｃの下へ振り分けられて固定引出歯２０の古紙及び番線当接面２０ｄに当接している場合の番線巻取除去について図１１乃至図１４にて説明する。番線Ｗが切断された後、油圧シリンダ１７により移動引出歯２１を下方へ移動すると、図１１に示される如く、移動引出歯２１の歯２１ｃは番線Ｗに係合して下方へ押し、図１２に示される如く、番線Ｗを固定引出歯２０の番線引込み凹部２０ｅの入口へ移動させる。さらなる移動引出歯２１の下方への移動に伴い、図１３に示される如く、番線Ｗは、上向き傾斜の移動引出歯２１の番線誘導凹部２１ｄに案内されて、下向き傾斜の固定引出歯２０の番線引込み凹部２０ｅへ引込まれ、図１４に示される如く、移動引出歯２１の歯２１ｃが固定引出歯２０の歯２０ｃの１つ半分の距離下方へ移動することにより、番線Ｗは番線収納部２０ｆに収納される。
【００２２】
この移動の過程で、移動引出歯２１の歯２１ｃは、固定引出歯２０の歯２０ｃと交差する際に、歯２０ｃ先端のベール古紙切断刃先２０ｇと歯２１ｃ先端のベール古紙切断刃先２１ｇとで、前記古紙及び番線当接面２０ｄから歯２０ｃ，２１ｃの先端間のベール古紙１を切り裂く。番線Ｗは硬度があるため切断されずに番線引込み凹部２０ｅへ誘導される。また、上向き傾斜の移動引出歯２１の番線誘導凹部２１ｄと下向き傾斜の固定引出歯２０の番線引込み凹部２０ｅとが交差することによって、番線Ｗを番線引込み凹部２０ｅに引込む。さらに、下向き傾斜の番線引込み凹部２０ｅの入口は、移動引出歯２１の歯２１ｃが次の固定引出歯２０の歯２０ｃ近くへ移動した時点から、歯２１ｃによって塞がれる。
【００２３】
これにより、固定引出歯２０と移動引出歯２１の間にベール古紙１を摘むことなく、番線Ｗのみが番線収納部２０ｆに保持されるので、油圧シリンダ１６にて番線引出金具１５を番線巻取軸１９の後方へ後退して番線Ｗを引き出すことができる。番線Ｗを引き出したら、油圧シリンダ１７にて移動引出歯２１を上方へ移動して、番線引込み凹部２０ｅの入口を開放した後、番線巻取軸１９を回転させて引き出された番線Ｗを該巻取軸１９に巻き取る。
【００２４】
したがって、番線Ｗが水平状態から大きく傾斜していても、番線Ｗが番線当接面２０ｄに当接し、移動引出歯２１の歯２１ｃに係合して下方へ押され、番線引込み凹部２０ｅに確実に誘導されるので、番線引出金具１５で番線Ｗを引き出すことができるとともに、移動引出歯２１の下方への移動の間に、固定引出歯２０の歯２０ｃ及び移動引出歯２１の歯２１ｃがベール古紙１を切り裂くから、両歯２０ｃ，２１ｃでベール古紙１を摘んで引き出すことなく番線Ｗのみを引き出すことができる。
【００２５】
尚、上記実施形態例では、ベール古紙の解梱装置の番線切断装置３を固定切断刃９及び移動切断刃１０の２枚構成で説明したが、本実施形態例のベール古紙の解梱装置は、特公平７−１１０６６２号公報に示されるごとき３枚構成やその他の構成の番線切断装置を用いてもよい。
【００２６】
【発明の効果】
以上説明したように、本発明は、ベール古紙の切断された番線を除去する番線引出金具において、複数の三角形の歯を有する固定引出歯の隣接する歯の間に古紙及び番線当接面と番線引込み凹部とを形成するとともに、歯の番線引込み凹部側にベール古紙切断刃先を形成し、鋸歯状の移動引出歯の隣接する歯の間に番線誘導凹部と古紙及び番線当接面とを形成するとともに、歯の番線誘導凹部側にベール古紙切断刃先を形成し、両ベール古紙切断刃先の角度を、番線を切断せずに古紙及び番線当接面から歯先端間のベール古紙を切断する角度に形成したので、番線引出し時に、固定引出歯及び移動引出歯の歯の古紙及び番線当接面から先端をベール古紙に食い込ませて、番線を固定引出歯の三角形の歯の上下いずれかへ振り分けるから、番線が水平状態から大きく傾斜していても確実に番線引込み凹部に引込まれ、移動引出歯が番線引込み凹部の入口を塞ぎ、番線を番線引込み凹部に収納するため、番線引出金具で番線を引き出すことができるとともに、移動引出歯の下方への移動の間に古紙と番線が分離され、固定引出歯の歯と移動引出歯の歯がベール古紙を切り裂くから、ベール古紙を摘んで引き出すことなく番線のみを引き出すことができる。
【図面の簡単な説明】
【図１】  本発明を適用した解梱装置の一実施形態例を示す概略正面図である。
【図２】  番線引出切断金具の一実施形態例を切断刃の側面から視た拡大図である。
【図３】  図２の番線引出切断金具の固定切断刃と移動切断刃とを示す分解図である。
【図４】  図２の番線引出切断金具の横断面図である。
【図５】  番線引出金具の一実施形態例を引出歯の側面から視た拡大図である。
【図６】  図５の番線引出金具の横断面図である。
【図７】  図５の番線引出金具の固定引出歯と移動引出歯と中間移動引出歯とを示す分解図である。
【図８】  図７のＶＩＩＩ−ＶＩＩＩ断面図である。
【図９】  図７のＩＸ−ＩＸ断面図である。
【図１０】  番線引出金具の作動状態を示す引出歯の側面から視た拡大図である。
【図１１】  番線引出金具の作動状態を示す引出歯の側面から視た拡大図である。
【図１２】  番線引出金具の作動状態を示す引出歯の側面から視た拡大図である。
【図１３】  番線引出金具の作動状態を示す引出歯の側面から視た拡大図である。
【図１４】  番線引出金具の作動状態を示す引出歯の側面から視た拡大図である。
【図１５】  番線巻取除去装置の一部を示す底面図である。
【符号の説明】
１…ベール古紙、２…スラットコンベヤー、３…番線切断装置、４…番線巻取除去装置、６…番線引出切断金具、９…固定切断刃、９ｃ…固定切断刃９の刃先、１０…移動切断刃、１０ｃ…移動切断刃１０の刃先、１５…番線引出金具、１９…番線巻取軸、２０…固定引出歯、２０ｃ…固定引出歯２０の歯、２０ｄ…固定引出歯２０の古紙及び番線当接面、２０ｅ…固定引出歯２０の番線引込み凹部、２０ｇ…固定引出歯２０のベール古紙切断刃先、２１…移動引出歯、２１ｃ…移動引出歯２１の歯、２１ｄ…移動引出歯２１の番線誘導凹部、２１ｅ…移動引出歯２１の古紙及び番線当接面、２１ｇ…移動引出歯２１のベール古紙切断刃先
【図１】
0004445050.tif 000002
【図２】
0004445050.tif 000003
【図３】
0004445050.tif 000004
【図４】
0004445050.tif 000005
【図５】
0004445050.tif 000006
【図６】
0004445050.tif 000007
【図７】
0004445050.tif 000008
【図８】
0004445050.tif 000009
【図９】
0004445050.tif 000010
【図１０】
0004445050.tif 000011
【図１１】
0004445050.tif 000012
【図１２】
0004445050.tif 000013
【図１３】
0004445050.tif 000014
【図１４】
0004445050.tif 000015
【図１５】
0004445050.tif 000016